(57)【要約】【課題】ドットマトリックス型の液晶表示パネルをデューティ駆動する液晶駆動装置において、高速で表示データを書換える必要のある画像に対応しながらも、印加電圧の直流成分を確実に相殺する。【解決手段】奇数（１，３，…）フレームにおいて、隣接する複数ｎ、例えば７本の走査電極の走査タイミング毎に印加電圧の極性を反転して駆動し、且つ偶数フレーム（２，４，…）において、その直前の奇数フレームで駆動した極性パターンを完全に反転した極性パターンの印加電圧で駆動する。【選択図】　　図２
2004093664.tif 000002
【特許請求の範囲】
【請求項１】
ドットマトリックス型の液晶表示パネルをデューティ駆動する液晶駆動方法において、
奇数フレームにおいて、上記液晶表示パネルの隣接する複数本の走査電極の走査タイミング毎に印加電圧の極性を反転して駆動し、且つ偶数フレームにおいて、その直前の奇数フレームで駆動した極性パターンを反転した極性パターンの印加電圧で駆動する
ことを特徴とする液晶駆動方法。
【発明の詳細な説明】
【０００１】
【発明の属する技術分野】
本発明は、ドットマトリックス型の液晶表示パネルを駆動する液晶駆動方法に関する。
【０００２】
【従来の技術】
一般的にドットマトリックス型の液晶表示パネルを表示駆動する場合、液晶表示パネルの各画素には例えば図３に示すような駆動波形の電圧が印加されてデューティ駆動される。
【０００３】
すなわち図３は、説明を容易にするために例えば１／１０デューティで１フレーム毎に極性を反転して表示駆動している例を示す。
【０００４】
このように特定周期毎に駆動波形の極性を反転することで、印加電圧の直流成分により液晶物質にかかる電界の方向が一方に偏るのを相殺し、電荷の偏りによる焼付きが発生するのを防止している。
【０００５】
【発明が解決しようとする課題】
上述した如く従来のデューティ駆動では、印加電圧の直流成分を相殺するために特定周期毎に極性を反転する波形の電圧を印加している。しかるに、デューティが低い（デューティ比が大きい）場合には、上記図３に示した如くフレーム周期に同期した反転駆動とするのが一般的であるが、デューティが高く（デューティ比が小さく）なると、走査電極ｎライン毎に印加電圧の極性を反転させる、所謂「ｎライン反転」と称する駆動を行なうことが多い。
【０００６】
図４は、例えば上記図３と同じ１／１０デューティで（ｎ＝）７ライン反転とした場合の駆動波形を例示するものである。上記図３に示したフレーム反転と称される駆動方法の場合、印加される電圧の直流成分を２フレーム単位で完全に相殺することができるのに対し、この図４の７ライン反転で駆動する場合には、直流成分を完全に相殺するために７フレームが必要となる。
【０００７】
したがって、動画などのように高速で表示データを書換える必要のある画像をこの液晶表示パネルに表示させる際には、フレーム同期を適正にとらないと印加電圧の直流成分が完全に相殺されずに残ってしまい、結果として焼付きの発生を招いてしまうことがある。
【０００８】
本発明は上記のような実情に鑑みてなされたもので、その目的とするところは、高速で表示データを書換える必要のある画像に対応しながらも、印加電圧の直流成分を確実に相殺することが可能な液晶駆動方法を提供することにある。
【０００９】
【課題を解決するための手段】
請求項１記載の発明は、ドットマトリックス型の液晶表示パネルをデューティ駆動する液晶駆動方法において、奇数フレームにおいて、上記液晶表示パネルの隣接する複数本の走査電極の走査タイミング毎に印加電圧の極性を反転して駆動し、且つ偶数フレームにおいて、その直前の奇数フレームで駆動した極性パターンを反転した極性パターンの印加電圧で駆動することを特徴とする。
【００１０】
このような方法とすれば、高速で表示データを書換える必要のある画像に対応しながらも、奇数フレームとこの奇数フレームに続く偶数フレームとの２フレームで印加される電圧の直流成分を完全に相殺させることができるため、焼付きの発生を確実に防止できる。
【００１１】
【発明の実施の形態】
以下本発明の実施の一形態に係る液晶駆動装置１０について図面を参照して説明する。
【００１２】
図１は、その概略回路構成を示すものである。同図で、表示駆動対象となるドットマトリックス形の画素部１１に対し、複数の走査電極を順次走査駆動するための走査電極ドライバ１２と、複数の信号電極にそれぞれ表示データを書込むための信号電極ドライバ１３とが接続される。
【００１３】
このような概略構成にあって、その駆動方法を下記に示す通りとする。
図２（１）は、画素部１１の任意の画素に印加される電圧の波形を例示するものである。ここでは、上記図４と同様に、例えば１／１０デューティで（ｎ＝）７ライン反転とする。
【００１４】
各フレーム中における当該画素位置の走査ラインの駆動タイミングは一定に維持されているものの、図２（２）に示す如く、一連の奇数フレームのみにおいて７ライン反転の極性パターンを実現しているのに加えて、図２（３）に示すように、上記一連の奇数フレームを補間する各偶数フレームにおいては、その直前の奇数フレームにおける極性パターンをそのまま反転した極性パターンとしている。
【００１５】
このように、一連の奇数フレームにおいてはｎライン反転を行なうものとし、隣接する複数ｎ本の走査ライン毎に印加する電圧の極性を反転して駆動するのに加えて、偶数フレームにおいては、その直前の奇数フレームで駆動した極性パターンを完全に反転した極性パターンの電圧を印加して駆動するものとする。
【００１６】
このような駆動を実現することにより、奇数フレームとその奇数フレームに続く偶数フレームとの２フレームで印加される電圧の直流成分を完全に相殺することができるため、例えば動画等のように高速で表示データを書換える必要のある画像にも対応可能となり、画素部１１の焼付きの発生を確実に防止できる。
【００１７】
なお、上記液晶駆動装置１０は、あえて単純マトリックス型、ＴＦＴ（薄膜トランジスタ）に代表されるアクティブマトリックス型のいずれであるとも言及しなかったが、本発明はそれらのいずれかに限定するものではなく、いずれであっても適用可能であることは勿論である。
【００１８】
その他、本発明は上記実施の形態に限らず、その要旨を逸脱しない範囲内で種々変形して実施することが可能であるものとする。
【００１９】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【００２０】
【発明の効果】
本発明によれば、高速で表示データを書換える必要のある画像に対応しながらも、奇数フレームとこの奇数フレームに続く偶数フレームとの２フレームで印加される電圧の直流成分を完全に相殺することができるため、焼付きの発生を確実に防止できる。
【図面の簡単な説明】
【図１】本発明の実施の一形態に係る液晶駆動装置の概略回路構成を示すブロック図。
【図２】同実施の形態に係る液晶駆動波形を例示する図。
【図３】一般的なフレーム反転方式での液晶駆動波形を例示する図。
【図４】一般的なｎライン反転方式での液晶駆動波形を例示する図。
【符号の説明】
１０…液晶駆動装置
１１…画素部
１２…走査電極ドライバ
１３…信号電極ドライバ
【図１】
2004093664.tif 000003
【図２】
2004093664.tif 000004
【図３】
2004093664.tif 000005
【図４】
2004093664.tif 000006